(57)【要約】【課題】  横たわった状態の使用者に対し、腰部に無理な力を加えることなく、腰椎を効果的に伸ばすことができる腰椎ストレッチ装置を提供する。【解決手段】  フレーム１１の前端には、使用者の両脇を支持して使用者の胸部をフレーム１１に固定する脇支持部１６を設ける。フレーム１１の後端には、外部から供給されるエアにより、前端と後端が互いに近づくように膨張するエアバッグ２１の後端を接続する。このエアバッグ２１の前端には、左右両牽引ベルト２９を介して、使用者の腰部に巻付け固定される腰ベルト２８を接続する。【選択図】      図１
2006043409.tif 000002
【特許請求の範囲】
【請求項１】
床上に載置される構造部材と、
横たわった状態の使用者の胸部を前記構造部材の前端側に固定するための胸部固定手段と、
同使用者の腰部を支持するための腰部支持手段と、
同使用者の腰部よりも足側に配置され、前端に前記腰部支持手段が連結されるとともに後端が前記構造部材の後端側に連結され、外部から供給される空気によって前端と後端とを互いに近づけるように膨張するエアバッグとを備えたことを特徴とする腰椎ストレッチ装置。
【請求項２】
前記エアバッグは、エアバッグの前後方向に対して直交する方向に延びる１つ以上のエア室を備え、各エア室は、エアバッグの前端と後端との間に並設されていることを特徴とする請求項１に記載の腰椎ストレッチ装置。
【請求項３】
前記胸部固定手段は、前記使用者の両脇を支持する脇支持部であることを特徴とする請求項１又は請求項２に記載の腰椎ストレッチ装置。
【請求項４】
前記構造部材は、コの字状に形成したフレームであって、前記エアバッグの後端は、同フレームの後端に固定され、前記腰部支持手段は、腰ベルトと、この腰ベルトの左右両側に接続された左右一対の牽引ベルトとから構成され、前記エアバッグの前端には、前記牽引ベルトの先端が連結されるとともに、前記脇支持部は、前記フレームの両前端に設けられていることを特徴とする請求項３に記載の腰椎ストレッチ装置。
【請求項５】
前記構造部材は、内部に流体を供給することによりマット状に膨張するようした流体圧入プレートであることを特徴とする請求項１に記載の腰椎ストレッチ装置。
【請求項６】
前記構造部材の上面と、前記胸部固定手段、腰部支持手段及びエアバッグとの間には、低摩擦抵抗材料により形成されたシートが介在されていることを特徴とする請求項５に記載の腰椎ストレッチ装置。
【請求項７】
前記構造部材の後端とエアバッグの後端とは、長さ調節可能な連結ベルトにより連結されていることを特徴とする請求項１に記載の腰椎ストレッチ装置。
【発明の詳細な説明】
【技術分野】
【０００１】
本発明は、身体の脊椎における腰椎を伸ばすための腰椎ストレッチ装置に関する。
【背景技術】
【０００２】
この種のストレッチ装置としては、特許文献１に開示されたものがある。これは、仰向けに横たわった使用者の腰部の下に置かれ、ポンプから供給されるエアで膨張されるエアセルからなる。そして、エアセルが膨張されると、仰向けに横たわっている使用者の腰部が持ち上げられる。
【０００３】
また、特許文献２に開示されるものは、横たわった使用者の腰部を固定する腰部固定部と、同じく足首を固定する足首固定部と、この足首固定部を腰部固定部から離れる方向に移動させる延伸部とからなる。延伸部は、外部から供給される空気によって延びるアコーディオン部を備えている。そして、アコーディオン部に空気が供給されると、足首固定部が腰部固定部から離れる方向に移動され、横たわっている使用者の下半身が牽引される。
【特許文献１】登録実用新案第３０６８０９０号公報
【特許文献２】特開２００３−１９９７７７号公報
【発明の開示】
【発明が解決しようとする課題】
【０００４】
ところで、上記特許文献１のものは、仰向けに横たわった使用者の腰部を押し上げることにより、体を反らすことになるので、体に柔軟性がなくなったり体幹筋（背筋、腹筋）が弱くなったりした高齢者が使用すると、逆に腰部の体幹筋や腰椎を痛めてしまう虞がある。
【０００５】
また、特許文献２のものは、使用者の腰部を固定した状態で足首を牽引するので、腰部と足首との間を伸ばすことになる。このため、脊柱に対し伸ばす方向の力を加えることはできず、腰椎を効果的に伸ばすことはできない。従って、腰椎の歪みを矯正し、腰椎の歪みに起因する腰痛や座骨神経痛といった症状を改善する効果は低い。
【０００６】
本発明は、上記従来の技術に存在する問題点に着目してなされたものである。その目的は、横たわった状態の使用者に対し、腰部に無理な力を加えることなく、腰椎を効果的に伸ばすことができる腰椎ストレッチ装置を提供することにある。
【課題を解決するための手段】
【０００７】
上記目的を達成するため、請求項１に記載の発明は、床上に載置される構造部材と、横たわった状態の使用者の胸部を前記構造部材の前端側に固定するための胸部固定手段と、同使用者の腰部を支持するための腰部支持手段と、同使用者の腰部よりも足側に配置され、前端に前記腰部支持手段が連結されるとともに後端が前記構造部材の後端側に連結され、外部から供給される空気によって前端と後端とを互いに近づけるように膨張するエアバッグとを備えたことを特徴とする。ここで、「床」とは、フローリング、畳、布団、ベッド等を含む。
【０００８】
従って、この発明によれば、構造部材の後端側に後端が接続されたエアバッグは、外部から供給される空気により、その前端と後端とが互いに近づくように膨張し、前端に連結された腰部支持手段を構造部材に対し後方に移動させる。このときエアバッグが発生する後ろ向きの力により、構造部材の前端側に胸部が固定された使用者の腰部が体に真っ直ぐに足側に牽引される。このため、胸部と腰部との間が体に真っ直ぐに伸ばされるので、使用者の脊椎が体に真っ直ぐに伸ばされる。また、圧縮性を有するエアでエアバッグを膨張させることによって腰部を牽引するので、腰部に対して加わる力が急激に増大しない。
【０００９】
請求項２に記載の発明は、請求項１に記載の発明において、前記エアバッグは、エアバッグの前後方向に対して直交する方向に延びる１つ以上のエア室を備え、各エア室は、エアバッグの前端と後端との間に並設されていることを特徴とする。このエア室は、エアバッグ内において独立していてもよく、また、エアバッグ内において連通されていてもよい。
【００１０】
従って、複数のエア室を設けた場合には、容量の大きな１つのエア室のみを備えた場合と異なり、各エア室が膨張するときの高さが低くなり、エアバッグの前端が上方に移動する距離が減少する。このため、エアバッグが膨張するときに、エアバッグの前端に連結された腰部支持手段が牽引される方向が斜め上方に移動しにくく、腰部が斜め上方に牽引されにくい。このため、腰部がより体に真っ直ぐに足側に牽引されるので、腰部に対して無理な力が一層加わりにくい。
【００１１】
請求項３に記載の発明は、請求項２に記載の発明において、前記胸部固定手段は、前記使用者の両脇を支持する脇支持部であることを特徴とする。
従って、この発明によれば、脇支持部に代えて、腰ベルトのようなベルトを用いて胸部を構造部材に固定するようにした場合と異なり、腰椎ストレッチ装置の使用時毎に、胸部に対するベルトの着脱を行う必要がないので、腰椎ストレッチ装置を簡便に使用することができる。
【００１２】
請求項４に記載の発明は、請求項３に記載の発明において、前記構造部材は、コの字状に形成したフレームであって、前記エアバッグの後端は、同フレームの後端に固定され、前記腰部支持手段は、腰ベルトと、この腰ベルトの左右両側に接続された左右一対の牽引ベルトとからなるものであって、同エアバッグの前端には、前記牽引ベルトの先端が連結されると  ともに、前記脇支持部は、前記フレームの両前端に設けられていることを特徴とする。
【００１３】
請求項５に記載の発明は、前記構造部材は、内部に流体を供給することによりマット状に膨張するようした流体圧入プレートであることを特徴とする。
請求項６に記載の発明は、前記構造部材の上面と、前記胸部固定手段、腰部支持手段及びエアバッグとの間には、低摩擦抵抗材料により形成されたシートが介在されていることを特徴とする。
【００１４】
請求項７に記載の発明は、前記構造部材の後端とエアバッグの後端とは、長さ調節可能な連結ベルトにより連結されていることを特徴とする。
【発明の効果】
【００１５】
本発明によれば、横たわった使用者の胸部が固定された状態で腰部が体に真っ直ぐに足側に牽引されるので、横たわった状態の使用者に対し、腰部に無理な力を加えることなく、腰椎を効果的に伸ばすことができる。
【発明を実施するための最良の形態】
【００１６】
次に、本発明を具体化した一実施形態を図１〜図５に従って説明する。
図２に示すように、腰椎ストレッチ装置１０は、床上に載置される略「コ」の字形状の構造部材としてのフレーム１１を備えている。なお、説明の便宜上、以下においては、図２における右上側を腰椎ストレッチ装置１０の前側とし、同じく左下側を腰椎ストレッチ装置１０の後側とする。フレーム１１は、左右一対の枠材１２と、この左右両枠材１２の後端同士を連結する連結棒１３とによって構成されている。各枠材１２の前端には、柱部１４が立設固定され、この柱部１４には略円筒状のクッション材１５が被せられている。この左右の柱部１４及びクッション材１５により、腰椎ストレッチ装置１０の使用者の両脇を支持するための胸部固定手段としての脇支持部１６が構成されている。
【００１７】
図３に示すように、フレーム１１は、主として前記連結棒１３からなる第１分割体１７、前記両枠材１２の後端部を構成する左右一対の第２分割体１８、両枠材１２の中間部を構成する左右一対の第３分割体１９、及び、両枠材１２の前端部を構成する第４分割体２０とに分割されるようになっている。第４分割体２０には、前記柱部１４が含まれている。すなわち、フレーム１１は、その長手（前後）方向において複数に分割される。
【００１８】
第１分割体１７と第２分割体１８とは、連結棒１３の左右両端に設けられた角柱状の芯部１３ａに、角パイプからなる第２分割体１８の後端が嵌合されることによって互いに接続される。第２分割体１８と第３分割体１９とは、第２分割体１８の前端に設けられた角柱状の芯部１８ａに、角パイプからなる第３分割体１９の後端が嵌合されることによって互いに接続される。第３分割体１９と第４分割体２０とは、第３分割体１９の前端に設けられた角柱状の芯部１９ａに、角パイプからなる第４分割体２０の後端が嵌合されることによって互いに接続される。なお、枠材１２を丸パイプによって構成してもよい。
【００１９】
また、図２に示すように、腰椎ストレッチ装置１０は、平面が略四角形のエアバッグ２１を備えている。エアバッグ２１は、左右枠材１２の後端部間に配設されている。図４（ａ）に示すように、エアバッグ２１は、２枚の基布２１ａ，２１ｂが溶着されることで形成されている。各基布２１ａ，２１ｂは、例えばウレタンコートされたナイロン（ポリアミド系合成樹脂）布である。エアバッグ２１には、複数（この実施形態では４個）のエア室２２が形成されている。各エア室２２は、エアバッグ２１の前後方向に対して直交する方向に延びるように形成され、エアバッグ２１における前後間に並設されている。また、各エア室２２は、互いに独立した状態で形成されている。エアバッグ２１の後端の縫い代は、前記連結棒１３を挿通する挿通孔を形成するように縫い込まれ、フレーム１１の後端に連結されている。また、エアバッグ２１の前端の縫い代は、牽引用の棒材２７を挿通する挿通孔を形成するように縫い込まれている。
【００２０】
一方の基布２１ａには、エア室２２毎に、そのエア室２２に空気を出入りさせるためのジョイント２３がそれぞれ取着されている。各ジョイント２３は、短いチューブ２４を介して直列に接続されている。最後部のエア室２２に設けられたジョイント２３には、長いチューブ２５を介して、エアバッグ２１に空気を供給するためのエア供給装置２６が接続されている。なお、エア供給装置２６は既成の装置であってポンプ及びバルブを備え、チューブ２５を介してエアバッグ２１に供給する空気の供給圧力を、大気圧から予め設定された設定圧力まで上昇させる。また、エア供給装置２６は、供給圧力を設定圧力まで上昇させた後、供給圧力をその設定圧力に予め設定された保持時間だけ保持する。次に、保持時間が終了すると、エア供給装置２６は、設定圧力を大気圧近くまで下降させる。さらに、エア供給装置２６は、供給圧力の上昇及び下降を予め設定された設定周期毎に繰り返す。
【００２１】
また、図１及び図２に示すように、腰椎ストレッチ装置１０は、使用者の腰部に巻付け固定されることで腰部を支持するための腰ベルト２８を備えている。この腰ベルト２８は周知の構成であって、腰部の太さに合わせて巻き径を調節するための図示しない周知の面ファスナーあるいは調節ベルトを備えている。腰ベルト２８は、その両側に連結された左右一対の牽引ベルト２９を介して前記棒材２７すなわちエアバッグ２１の前端に連結されている。この牽引ベルト２９は、周知の構成であって、その長さを調節するための周知のバックル３０を中間部に備えている。そして、本実施形態では、腰ベルト２８及び牽引ベルト２９により腰部支持手段が構成されている。
【００２２】
次に、以上のように構成された腰椎ストレッチ装置１０の作用について説明する。
さて、腰椎ストレッチ装置１０を使用する際には、先ず、エア供給装置２６からエアバッグ２１にエアが供給されていない状態で、床上に置かれたフレーム１１の左右両枠材１２の間に使用者が両脚を伸ばした状態で座り、腰部に腰ベルト２８を巻き付ける。次に、使用者が仰向けに横たわり、左右脇支持部１６を使用者の両脇にそれぞれ当てる。次に、左右の各牽引ベルト２９の長さがそれぞれバックル３０を用いて調節され、各牽引ベルト２９が張った状態にされる。この状態で、エア供給装置２６が動作され、エアバッグ２１にエアが供給される。
【００２３】
エアバッグ２１の各エア室２２にエアが供給されると、各エア室２２が、図４（ａ）に示すようにエアが充填されていない扁平な状態から、図４（ｂ）に示すように略円柱状の状態まで膨張する。すると、図５（ａ），（ｂ）に示すように、各エア室２２の前後幅（図４（ａ），（ｂ）における左右幅）が小さくなり、エアバッグ２１の前端と後端との間の間隔Ｌが小さくなる。このため、エアバッグ２１の前端に対し左右の両牽引ベルト２９を介して接続された腰ベルト２８がエアバッグ２１側に牽引される。このとき、横たわった状態の使用者の両脇が脇支持部１６によって支持されているので、使用者の胸部と腰部との間が体に真っ直ぐに伸ばされる。
【００２４】
以上のように、仰向けに横たわった使用者の胸部と腰部との間が体に真っ直ぐに伸ばされるので、使用者の脊椎が体に真っ直ぐに伸ばされる。このため、腰部の体幹筋（背筋、腹筋）や腰椎に無理な力が加えられることなく、腰椎が効果的に伸ばされる。
【００２５】
次に、以上詳述した本実施形態が有する効果を列記する。
（１）  圧縮性を有するエアでエアバッグ２１を膨張させることによって腰ベルト２８を牽引するので、腰部に対して加わる力が急激に増大することがない。このため、腰部の体幹筋や腰椎に対して加わる力が急激に増大することがないので、体幹筋や腰椎に対して無理な力が一層加わらない。従って、体幹筋が弱くなった高齢者であっても、横たわった状態で無理なく腰椎を伸ばすことができ、これにより腰椎の歪みを矯正し、腰椎の歪みに起因する腰痛や座骨神経痛といった症状を改善することができる。
【００２６】
（２）  エアバッグ２１には、エアバッグ２１の前後方向に対して直交する方向に延びる複数のエア室２２を備え、各エア室２２を、エアバッグ２１の前端と後端との間に並設させている。このため、エアバッグ２１に容量の大きな１つのエア室のみを備えた場合と異なり各エア室２２が膨張するときの高さが低くなり、エアバッグ２１の前端が上方に移動する距離が減少する。このため、エアバッグ２１が膨張するときに、エアバッグ２１の前端に連結されている腰ベルト２８が牽引される方向が斜め上方に移動しにくく、腰部が斜め上方に牽引されにくい。このため、腰部がより体に真っ直ぐに足側に牽引されるので、腰部の体幹筋や腰椎に対して無理な力が一層加わりにくい。
【００２７】
（３）  使用者の両脇を支持する脇支持部１６によって使用者の胸部をフレーム１１に固定するようにした。このため、脇支持部１６に代えて、腰ベルト２８のようなベルトを用いて胸部をフレーム１１に固定するようにした場合と異なり、腰椎ストレッチ装置１０の使用時毎に、胸部に対するベルトの着脱を行う必要がないので、腰椎ストレッチ装置１０を簡便に使用することができる。
【００２８】
次に、この発明の別の実施形態を図６に基づいて説明する。  
図６（ａ），（ｂ）に示すような腰椎ストレッチ装置４０として具体化する。この腰椎ストレッチ装置４０においては、四角枠状のフレーム４１の後端側に、使用者の腰部をフレーム４１の後端側に固定するための腰部固定ベルト４２が設けられている。腰部固定ベルト４２は、フレーム４１に対し、ロープ４３によって連結されている。また、同フレーム４１の前端側には、外部から供給される空気により前端と後端とが互いに近づくように膨張するエアバッグ４４の前端が連結されている。また、使用者の左右両脇を支持する脇支持部材４５が、左右一対の牽引ベルト４６を介してエアバッグ４４の後端に接続されている。そして、エアバッグ４４が膨張されると、脇支持部材４５を介して使用者の胸部が頭部側に牽引され、腰部固定ベルト４２によってフレーム４１に固定された腰部との間が伸ばされる。このような腰椎ストレッチ装置４０によっても、使用者の脊椎を体に真っ直ぐに伸ばすことができ、腰部に無理な力を加えることなく腰椎を効果的に伸ばすことができる。
【００２９】
次に、この発明の別の実施形態を図７〜図９に基づいて説明する。  
この実施形態においては、構造部材として流体圧入プレート５１を使用している。この流体圧入プレート５１は図８及び図９に示すように、上下一対の表層シート５２，５３と、前記表層シート間に固定された繊維基材５７と、表層シート５２，５３を外部でシールするシール部材５８とにより構成されている。前記繊維基材５７は表層シート５２，５３の内側に設けられ、相対する生地５４，５５が非伸張性の繋ぎ糸５６を介して連結されている。前記シール部材５８は前記表層シート５２，５３の縁部に沿って溶着又は接着することにより、表層シート５２，５３の外部をシールし、表層シート５２，５３を袋状に形成している。又、前記流体圧入プレート５１の隅部には図示しないが空気を流体圧入プレート５１内に圧入するための開口が設けられ、この開口には空気を手動操作により排出することも可能な開閉弁が設けられている。
【００３０】
前記流体圧入プレート５１の上面には、低摩擦抵抗材料としての例えばシリコーンウレタン樹脂等の合成樹脂製のシート６１がほぼ全面にわたって被覆され、そのシート６１の左右両側部には、図９に示すように係止具６２が複数箇所（例えば左右それぞれ４カ所であるが図９に左右一箇所のみ図示）に取り付けられ、それらの係止具６２の間には、ゴム製の紐６３の両端が連結されている。
【００３１】
前記流体圧入プレート５１の前端部の２箇所には、使用者の両脇を支持するためのループ状をなす太径の支持紐６５が装着されている。この支持紐６５の基端接合部には第１面ファスナー６６が縫着され、前記流体圧入プレート５１の表層シート５２の下面に取り付けた第２面ファスナー６７に対し、前記第１面ファスナー６６を取り外し可能に接続することによって位置調節可能に連結されている。
【００３２】
前記シート６１の中央部に支持された腰部固定ベルト４２の下部に連結された連結用シート７１の後端部は、前記棒材２７の左右両端部に対し左右一対（図８に一箇所のみ図示）のループ状部７２によって連結されている。
【００３３】
前記流体圧入プレート５１の後端部には、該後端部と前記エアバッグ４４の後端に設けられた連結棒１３とを連結するための左右一対の連結ベルト７５（図７においては簡略化されている）が装着されている。この連結ベルト７５は図８に示すように前記シール部材５８の表面に接着された第１ベルト７６を備え、この第１ベルト７６は前記エアバッグ４４の後端接合部に形成されたスリット７７に貫通されて、後方に引き出されている。前記第１ベルト７６の取付部表面には第２ベルト７８が接合されて、そのループ状部７８ａには、三本のピン７８ａ〜７８ｃを有するバックル７９の前記ピン７９ａが連結されている。前記第１ベルト７６の先端部を前記バックル７９のピン７９ｂ，７９ｃの間にＳ字状に挿通係止して引き上げることにより、前記連結棒１３を後方向に牽引した状態を保持するようになっている。前記連結ベルト７５の第１ベルト７６を操作することにより、前記エアバッグ４４に連結した連結棒１３の前後方向の位置調節を行うことができるようになっている。
【００３４】
前記エアバッグ４４の上面には低摩擦抵抗材料としての例えばシリコーンウレタン樹脂等の合成樹脂製のカバーシート８１が装着されている。このカバーシート８１の前端縁はエアバッグ４４の前端縁に、後端縁はエアバッグ４４の後端縁寄りに接着又は縫着されている。
【００３５】
図７及び図９に示すように前記一方の腰部固定ベルト４２の上面には、長さ調節可能な調節ベルト８５が装着されている。なお、図８では調節ベルト８５は省略されている。この調節ベルト８５の先端にはフック８６が連結され、他方の腰部固定ベルト４２の上面に取り付けられた複数（図７に四箇所図示しているが例えば六箇所以上でもよい）の掛止リング部８７に前記フック８６を係止することにより左右の腰部固定ベルト４２，４２を互いに連結するようになっている。
【００３６】
上記のように構成された腰椎ストレッチ装置においては、以下のような効果がある。
（１）前記構造部材として、内部にエア（又は水等の流体）を供給することによりマット状に膨張するようした流体圧入プレート５１を用いたので、そのクッショク性により使用者が快適にストレッチに使用することができる。
【００３７】
（２）前記流体圧入プレート５１の上面と、前記腰部固定ベルト４２、連結用シート７１及びエアバッグ４４との間に、低摩擦抵抗材料により形成されたシート６１を介在したので、流体圧入プレート５１の上面での腰部固定ベルト４２、連結用シート７１及びエアバッグ４４の後方向又は前方向の滑動が円滑に行われ、ストレッチ運動を円滑に行うことができる。
【００３８】
（３）前記流体圧入プレート５１の後端とエアバッグ４４の後端とを、長さ調節可能な連結ベルト７５により連結したので、使用者の身長に応じて、エアバッグ４４及び腰部固定ベルト４２の位置を適正位置に容易に調節することができる。
【００３９】
なお、この実施形態は、次のように変更して具体化することも可能である。
・  構造部材として、前記フレーム１１に代えて、使用者及びエアバッグ２１が載る大きさの板を設けた構成とすること。この板は、例えば合成樹脂によって一体成形されたものである。
【００４０】
・  胸部固定手段として、前記脇支持部１６に代えて、胸部に巻き付けることにより胸部をフレーム１１に固定する胸部ベルトを設けた構成とすること。
・  各エア室２２を、エアバッグ２１内において互いに連通させてもよい。
【００４１】
・  前記エア室２２の数は、１〜３個、又は、５個以上であってもよい。
・  前記フレーム１１において、例えば第２分割体１８と第３分割体１９との間に、ナット及びボルトからなる長さ調節部を設け、この長さ調節部によって、脇支持部１６と腰ベルト２８との間隔を調節する構成とすること。
【００４２】
以下、前記各実施形態から把握される請求項以外の技術的思想を記載する。
（１）  請求項１〜請求項４のいずれか一項に記載の腰椎ストレッチ装置において、前記胸部固定手段と腰部支持手段との間隔を調節する間隔調節手段（牽引ベルト２９のバックル３０）を設けたことを特徴とする腰椎ストレッチ装置。
【００４３】
（２）  請求項４に記載の腰椎ストレッチ装置において、前記牽引ベルト及び／又は前記フレームを、前記エアバッグの前後方向において長さ調節可能にしたことを特徴とする腰椎ストレッチ装置す。
【００４４】
（３）  請求項４に記載の腰椎ストレッチ装置において、前記フレームを、その前後方向において複数の部分（第１分割体１７、第２分割体１８、第３分割体１９、第４分割体２０）に分割できるように構成したことを特徴とする腰椎ストレッチ装置。
【００４５】
（４）  請求項２〜請求項４のいずれか一項に記載の腰椎ストレッチ装置において、前記エア室は、複数設けられていることを特徴とする腰椎ストレッチ装置。このような構成によれば、エアバッグの膨張時に、腰部支持手段が牽引される方向が斜め上方に変化し難く、腰部が斜め上方に牽引されにくいので、腰部に対して無理な力が一層加わりにくい。
【００４６】
（５）  床上に載置される構造部材（フレーム４１）と、横たわった状態の使用者の腰部を前記構造部材の後端側に固定するための腰部固定手段（腰部固定ベルト４２、ロープ４３）と、同使用者の胸部を支持するための胸部支持手段（脇支持部材４５、牽引ベルト４６）と、同使用者の胸部よりも頭側に配置され、後端に前記胸部支持手段が連結されるとともに前端が前記構造部材の前端側に連結され、外部から供給される空気によって前端と後端とを互いに近づけるように膨張するエアバッグ（エアバッグ４４）とを備えたことを特徴とする腰椎ストレッチ装置（４０）。
【図面の簡単な説明】
【００４７】
【図１】一実施形態の腰椎ストレッチ装置を示す斜視図。
【図２】同じく斜視図。
【図３】同じく分解斜視図。
【図４】（ａ），（ｂ）は共にエアバッグの一部を示す縦断面図。
【図５】（ａ），（ｂ）は共にエアバッグを示す正面図。
【図６】（ａ）は他の実施形態における腰椎ストレッチ装置を示す平面図、（ｂ）は同じく側面図。
【図７】他の実施形態における腰椎ストレッチ装置を示す平面図。
【図８】図７の実施形態における腰椎ストレッチ装置を示す縦断面図。
【図９】図７の実施形態における腰椎ストレッチ装置を示す横断面図。
【符号の説明】
【００４８】
１０…腰椎ストレッチ装置、１１…構造部材としてのフレーム、１６…胸部固定手段としての脇支持部、２１…エアバッグ、２２…エア室、２８…腰部支持手段を構成する腰ベルト、２９…同じく牽引ベルト、４０…腰椎ストレッチ装置、４１…構造部材としてのフレーム、４２…腰部固定手段としての腰部固定ベルト、４３…同じくロープ、４４…エアバッグ、４５…胸部支持手段を構成する脇支持部材、４６…同じく牽引ベルト。
【図１】
2006043409.tif 000003
【図２】
2006043409.tif 000004
【図３】
2006043409.tif 000005
【図４】
2006043409.tif 000006
【図５】
2006043409.tif 000007
【図６】
2006043409.tif 000008
【図７】
2006043409.tif 000009
【図８】
2006043409.tif 000010
【図９】
2006043409.tif 000011